(57)【要約】【課題】  セパレーターを取付アームから取り外して分解することなく、帯板エッヂのずれ現象に対応できるようにする。【解決手段】  セパレーターアームの先端に固定されて、巻取ドラムの水平軸に平行に長い摺動案内と、該摺動案内に対し、その長さ方向に平行で摺動自在に装架されたセパレーター取付板と、該セパレーター取付板の長さ方向両端付近に突設されたブラケットと、これらのブラケットに回転自在に支持されたセパレーターと、前記摺動案内の一端付近に突設された調整ブラケットと、該調整ブラケットに回転自在に支持されて、前記巻取ドラム軸に平行となった調整ネジ棒と、該調整ネジ棒の末端に取り付けられた調整ハンドルとを含む。【選択図】図３
2006263738.tif 000002
【特許請求の範囲】
【請求項１】
鋼板コイル巻取ドラムの水平軸に平行に回転自在に設けられた主軸と、該主軸の両端付近から軸直角方向に延設されたセパレーターアームと、該セパレーターアームの先端に回転自在に支持されたセパレーターと、前記主軸を回転させる主駆動部とにおいて、
前記セパレーターアームの先端に固定されて、前記巻取ドラムの水平軸に平行に長い摺動案内と、該摺動案内に対し、その長さ方向に平行で摺動自在に装架されたセパレーター取付板と、該セパレーター取付板の長さ方向両端付近に突設されたブラケットと、これらのブラケットに回転自在に支持されたセパレーターと、前記摺動案内の一端付近に突設された調整ブラケットと、該調整ブラケットに回転自在に支持されて、前記巻取ドラム軸に平行となった調整ネジ棒と、該調整ネジ棒の末端に取り付けられた調整ハンドルとを含むことを特徴とするスリッター用セパレーターの位置調整装置。
【発明の詳細な説明】
【技術分野】
【０００１】
本発明は、スリッター用セパレーターの位置調整装置に関するものである。
【背景技術】
【０００２】
従来のスリッター用セパレーターは次のように構成されていた。鋼板コイル巻取ドラムの水平軸に平行に回転自在に設けられた主軸と、該主軸の両端付近から軸直角方向に延設されたセパレーターアームと、該セパレーターアームの先端に回転自在に支持されたセパレーターとからなる。セパレーターは、軸に同心にディスタンスピース（短円筒）と円環が挿入されたものである。
【０００３】
そして、セパレーターを巻取ドラムの円周面に接近させた状態で、アンコイラーに装填された鋼板コイルから繰り出された鋼板が、スリッターで切断されて複数の細い帯鋼となり、デフレターロールを経て、セパレーターを案内として、複数の細帯板として、巻取ドラムに巻き取られる。
【特許文献１】特開２０００−２８００２２公報
【発明の開示】
【発明が解決しようとする課題】
【０００４】
しかしながら、材料偏差等により巻き取り成品に、いわゆるテレスコープ現象が発生する。この現象は、各細帯板の巻取の初期において、巻取ドラム表面の第１層目、第２層目、・・・において、巻取層が増えるにつれて、帯板のエッヂが少しずつずれてくる現象である。薄物材（主として厚さ０.５ｍｍ以下）では、テレスコープ現象により、セパレーター丸刃が成品エッジの折れを発生させる。
【０００５】
従来はリール巻き付け運転後、一旦ライン停止し、セパレーターを取付アームから取り外し、締め付けナットを緩めて分解する。そして、テレスコープ発生状況（寄り量）に応じて、基準面からの距離をセパレーターディスタンスの組み合わせで調整し、再度組み込んでいた。
【０００６】
本発明は上記課題を解決し、セパレーターを取付アームから取り外して分解することなく、帯板エッヂのずれ現象に対応できるスリッター用セパレーターの位置調整装置を提供することを目的とする。
【課題を解決するための手段】
【０００７】
本発明の課題解決手段は、鋼板コイル巻取ドラムの水平軸に平行に回転自在に設けられた主軸と、該主軸の両端付近から軸直角方向に延設されたセパレーターアームと、該セパレーターアームの先端に回転自在に支持されたセパレーターと、前記主軸を回転させる主駆動部とにおいて、前記セパレーターアームの先端に固定されて、前記巻取ドラムの水平軸に平行に長い摺動案内と、該摺動案内に対し、その長さ方向に平行で摺動自在に装架されたセパレーター取付板と、該セパレーター取付板の長さ方向両端付近に突設されたブラケットと、これらのブラケットに回転自在に支持されたセパレーターと、前記摺動案内の一端付近に突設された調整ブラケットと、該調整ブラケットに回転自在に支持されて、前記巻取ドラム軸に平行となった調整ネジ棒と、該調整ネジ棒の末端に取り付けられた調整ハンドルとを含むことである。
【発明の効果】
【０００８】
本発明により、セパレーターを取付アームから取り外して分解することなく、帯板エッヂのずれ現象に対応できることとなった。
【発明を実施するための最良の形態】
【０００９】
以下に本発明の一実施例を図面にもとづき説明する。
図１，２において、鋼板コイル巻取ドラム１の水平軸に平行に主軸２が回転自在に設けられ、該主軸の両端付近から軸直角方向にセパレーターアーム４が延設される。該セパレーターアームの先端にセパレーター９が回転自在に支持されている。前記主軸を揺動させる主駆動部３において、主軸２の基端付近に駆動アーム３ａが軸半径方向に突設され、それに駆動油圧シリンダ３ｂが台板との間でピン結合して設置される。
【００１０】
さて図３において、前記セパレーターアーム４の先端に摺動案内５が固定され、これは前記巻取ドラム１の水平軸に平行に長い。該摺動案内に対し、その長さ方向に平行で直動軸受け６を介して、摺動自在にセパレーター取付板７が装架される。該セパレーター取付板７の長さ方向両端付近にブラケット８が突設され、これらのブラケット８にセパレーター９が回転自在に支持される。
【００１１】
前記摺動案内５の一端付近に調整ブラケット１１が突設され、該調整ブラケットに調整ネジ棒１２が定位置で回転自在に支持されて、前記巻取ドラム軸に平行となっている。該調整ネジ棒１２の末端に調整ハンドル１３が取り付けられている。
【００１２】
そして、セパレーター９を巻取ドラム１の円周面に接近させた状態で、アンコイラーに装填された鋼板コイルから繰り出された鋼板が、スリッターで切断されて複数の細い帯鋼板Ａとなり、デフレクターロールＤを経て、セパレーター９を案内として、複数の細帯板として、巻取ドラム１に巻き取られる。
【００１３】
そして、各細帯板の巻取の初期において、例えば、巻取ドラム表面の第１層目、第２層目ぐらいのところで、帯板のエッヂが少しずつずれてくると、セパレーター９を直動軸受け６を介して、セパレーターアーム４に取り付けた成品のテレスコープ発生に応じて、調整ハンドル１３により軸方向の位置調整を行なう。これにより、テレスコープの発生量に応じて、セパレーター９を分解することなく、対応できることとなった。
【００１４】
本発明は前記した実施例や実施態様に限定されず、特許請求の範囲および範囲を逸脱せずに種々の変形を含む。
【産業上の利用可能性】
【００１５】
スリッター用セパレーターの位置調整装置に利用できる。
【図面の簡単な説明】
【００１６】
【図１】本発明の一実施例の正面図である。
【図２】図１の要部平面図である。
【図３】図２の要部拡大図である。
【符号の説明】
【００１７】
Ａ  帯鋼板
Ｄ  デフレクターロール
１  帯鋼板コイル巻取ドラム
２  主軸
３  主駆動部
４  セパレーターアーム
５  摺動案内
６  直動軸受け
７  セパレーター取付板
８  ブラケット
９  セパレーター
９ａ  軸
９ｂ  円環
９ｃ  スペーサ
１０  軸方向調整部
１１  調整ブラケット
１２  調整ネジ棒
１３  調整ハンドル
【図１】
2006263738.tif 000003
【図２】
2006263738.tif 000004
【図３】
2006263738.tif 000005